(57)【要約】【課題】狭いパイプの中や機材の隙間に手だけを入れて作業する場合、懐中電灯等が隙間に入らないため、作業をする手元が暗くならないように照らすのは困難な場合が多い。人間にとってより自然な動作で電源をオン／オフにできる指輪型のライトを提案する。【解決手段】リングの側部に電源と光源とを導通させる電源スイッチを備えていることにより２本の指を閉じる動作によりスイッチをオン／オフにすることができるため、手指に負担をかけにくい指輪型ライトを提供することができる。【選択図】図１
2016081788.tif 000002
【特許請求の範囲】
【請求項１】
リングの開口部外周縁に電源と光源とを備え、リングの側部に電源と光源とを導通させる電源スイッチを備えた指輪型ライト。
【請求項２】
前記電源スイッチはタッチスイッチである請求項１の指輪型ライト。
【請求項３】
前記電源および光源はリングの外周縁に設けられた台座に収容される請求項１の指輪型ライト。
【発明の詳細な説明】
【技術分野】
【０００１】
本発明は指に嵌めて使用する指輪型のライトに関するものである。
【背景技術】
【０００２】
狭いパイプの中や機材の隙間に手だけを入れて作業する場合、懐中電灯等が隙間に入らないため、作業をする手元が暗くならないように照らすのは困難な場合が多い。そこで、手の指に嵌めて使用する指輪型を呈するライトがいくつか提案されている。
【先行技術文献】
【特許文献】
【０００３】
【特許文献１】実用新案登録３１４０３５４号
【特許文献２】意匠登録第１２７９１２７号
【発明の概要】
【発明が解決しようとする課題】
【０００４】
ところで、指輪型のライトには電源のオン／オフをどうするかという課題がある。特許文献１によれば指先の腹の部分と接触する箇所にマイクロボタンスイッチを設け、指の第一関節を屈曲させる動作により片手で指輪型ライトの電源のオン／オフできる構造が提案されている。
【０００５】
しかしながら、指の第一関節を屈曲させる動作は人間が通常意識して行う動作としては不自然であり、使用すると手指を痛める可能性がある。
【０００６】
そこで、本発明では人間にとってより自然な動作で電源をオン／オフにできる指輪型のライトを提案するものである。
【課題を解決するための手段】
【０００７】
本発明の指輪型ライトはリングの開口部外周縁に電源と光源とを備え、リングの側部に電源と光源とを導通させる電源スイッチを備えている。
【０００８】
本発明の指輪型ライトはリングの開口部外周縁に電源と光源とを備え、リングの側部に電源と光源とを導通させる電源スイッチを備えている。
【０００９】
また、電源および光源はリングの外周縁に設けられた台座に収容される構造としてもよい。
【発明の効果】
【００１０】
本発明によれば、リングの側部に電源と光源とを導通させる電源スイッチを備えていることにより２本の指を閉じる動作によりスイッチをオン／オフにすることができるため、手指に負担をかけにくい指輪型ライトを提供することができる。
【図面の簡単な説明】
【００１１】
【図１】本発明の指輪型ライトの構成であって、リング本体の外周縁に光源を設けた実施形態を示す斜視図である。
【図２】本発明の指輪型ライトの構成であって、リングの一部に切り欠きを設けた実施形態を示す斜視図である。
【図３】本発明の指輪型ライトの構成であって、台座に光源を設けた実施形態を示す斜視図である。
【発明を実施するための形態】
【００１２】
本発明の実施形態を説明する。図１は本発明の指輪型ライトの構成を示す斜視図である。
【００１３】
図１によれば、指輪型ライトはリング状の本体００１、本体００１の外周縁のソケット００２に設けられた光源１０１、本体００１の内部に格納される電源２０１、本体００１の側部に設けられた電源スイッチ３０１、を備えている。
【００１４】
ここで、ソケット００２は指輪を手の指に装着した際に前方に来る位置に設けられ、電源スイッチ３０１は指の横、指と指の間に来る位置に設けられる。
【００１５】
光源１０１はソケット００２に取り外し可能に設けられる。省電力化および省スペース化のため、主に白色ＬＥＤを用いるが、白熱電球でもよい。現在普及している光源および将来考案される光源を用いることができる。
【００１６】
なお、光源１０１から発した光を効率的に拡散させるために、ソケット００２には反射板やディフューザーを設けてもよい。
【００１７】
電源２０１は本体００１の内部に収容され、ボタン電池などの小型のものを用いることが好ましく、現在普及している電源および将来考案される電源を用いることができる。
【００１８】
電源２０１を収容するスペースは目立たないように本体００１のリングの外側に設けるのではなく、本体００１のリングの内側に設けることが好ましい。
【００１９】
そして、電源２０１と光源１０１を電気的に導通させるための電源スイッチ３０１が本体００１の側部に設けられている。
【００２０】
電源スイッチ３０１は指と指の間に設けられるため、指を閉じることにより指の横の部分で電源スイッチ３０１を押す形になり、光源１０１が電源２０１と導通して点灯する。
【００２１】
押しボタンスイッチはボタンを押している間だけスイッチがオンになる自動復帰型スイッチと、ボタンを押す度にスイッチのオン／オフが切り替わる位置保持型スイッチとが周知であるが、本発明における電源スイッチ３０１にはそれらのどちらを採用してもよい。
【００２２】
光源１０１、電源２０１、電源スイッチ３０１を接続する回路については従来知られている回路と変わるところはないため詳細な説明は省略する。
【００２３】
また、電源スイッチ３０１はタッチスイッチであることが好ましい。
【００２４】
電源スイッチ３０１に押しボタンスイッチを用いる場合、指の横の部分により力を加えて電源スイッチ３０１を押す動作が必要になる。スイッチのオン／オフを繰り返していると指が普段慣れない動作をするため、指の腱や腱鞘を痛める危険性がある。
【００２５】
このため、指に負担をかけずにスイッチをオン／オフにできる構造が求められる。
【００２６】
そこで、本発明の指輪型ライトでは指に力を加えずに軽く触れるだけでスイッチをオン／オフにできるように電源スイッチ３０１にはタッチスイッチを用いる。
【００２７】
タッチスイッチは、静電容量式タッチスイッチのように、軽く触れるだけで動作するものが好ましいが、無接点マイクロスイッチ、感圧スイッチ、テープスイッチなど、軽く押す程度の動作によりスイッチをオン／オフにできるものでもよい。
【００２８】
タッチスイッチにはスイッチに触れている間だけスイッチがオンになるモーメンタリ動作をするものと、スイッチに触れる度にスイッチのオン／オフが切り替わるオルタネイト動作をするものとがあるが、本発明における電源スイッチ３０１にはその両方を用いることができる。
【００２９】
また、モーメンタリ動作とオルタネイト動作を切り替えて使用できる構成としてもよい。
【００３０】
本発明の別の実施形態を説明する。図２は図１により説明した指輪型ライトの本体００１に切り欠きを設けたものである。指の太さに左右されずに着用できるように切り欠きを設け、指輪をフリーサイズとしている。
【００３１】
図３は本体００１の上の部分に台座４０１を設け、台座４０１に光源１０１と電源２０１を収容したものである。本体００１に光源１０１と電源２０１を収容するのが困難である場合は、このような構成としてもよい。また、図２の実施形態のように本体００１に切り欠きを設けてもよい。
【００３２】
本体００１に用いる材質は金属、プラスチック、革、ゴム等を用いることができ、ライトとしての実用性、指輪としての審美性を考慮し、適宜選択して実施することができる。
【００３３】
なお、「指輪」とは一般的には手（まれに足）の指に嵌める装身具を意味するが、本発明の指輪型ライトは必ずしも装身具としての審美性を満たすものに限ったものではない。
【産業上の利用可能性】
【００３４】
本発明は閉所や暗所での作業において手元を照らす指輪型ライトとしての産業上の利用可能性を有する。
【符号の説明】
【００３５】
００１  本体
００２  ソケット
１０１  光源
２０１  電源
３０１  電源スイッチ
４０１  台座
【図１】
2016081788.tif 000003
【図２】
2016081788.tif 000004
【図３】
2016081788.tif 000005